(57)【要約】【課題】放送塔の電波を受信しやすい方向など所望の方向へ指向方向を自在に調整して定置することができる伸縮式アンテナを提供する。【解決手段】移動体通信端末に取り付けられ、軸周りに回転可能な伸縮式アンテナ１であって、下部エレメント３２の下側に設けられる一対の第１の突出片３５・３５をストッパ２１の上側に設けられる第２の突出片２２の両側に配置し、突出片３５と突出片２２との間に板バネ５２を介装し、突出片３５、２２と板バネ５２とにリベット５１を挿通して突出片３５、２２を軸支する。【選択図】図３
2007318207.tif 000002
【特許請求の範囲】
【請求項１】
移動体通信端末に取り付けられ、軸周りに回転可能な伸縮式アンテナであって、アンテナエレメントの下側に設けられる第１の突出片と、ストッパの上側に設けられる第２の突出片とを軸支して、該軸支部より上方のアンテナ部を所要角度で定置可能な回動抵抗を該軸支により付与することを特徴とする伸縮式アンテナ。
【請求項２】
前記第１の突出片若しくは第２の突出片を一対とし、一対の第１の突出片を第２の突出片の両側に配置若しくは一対の第２の突出片を第１の突出片の両側に配置し、第１の突出片と第２の突出片との間に弾性板を介装し、第１の突出片と第２の突出片と弾性板とに軸支部材を挿通して軸支することを特徴とする請求項１記載の伸縮式アンテナ。
【請求項３】
前記第１の突出片若しくは第２の突出片を一対とし、第２の突出片の幅よりも第１の突出片間の幅が若干小さい一対の第１の突出片で第２の突出片を挟持し、若しくは第１の突出片の幅よりも第２の突出片間の幅が若干小さい一対の第２の突出片で第１の突出片を挟持し、第１の突出片と第２の突出片とに軸支部材を挿通して軸支することを特徴とする請求項１記載の伸縮式アンテナ。
【請求項４】
前記第１の突出片間若しくは第２の突出片間の間隙の端部に外方へ弾性付勢されている凸部を設け、第２の突出片若しくは第１の突出片の弧状の端面に該弧状に沿う方向に所定間隔で該凸部と係合可能な凹部を設けることを特徴とする請求項２又は３記載の伸縮式アンテナ。
【発明の詳細な説明】
【技術分野】
【０００１】
本発明は、携帯電話等の移動体通信端末に取り付けられる伸縮式アンテナに関する。
【背景技術】
【０００２】
移動体通信端末に取り付けられる伸縮式アンテナとして、上端にアンテナトップ、下端にストッパを設けたアンテナエレメントをホルダで摺動可能に保持し、アンテナをホルダを介して携帯電話の筐体に出没可能に取り付け、アンテナにホルダを介して給電する伸縮式アンテナや（特許文献１参照）、上端にアンテナトップを設けた第１エレメントと、上端にスリーブ、下端にストッパを設けた第２エレメントを備え、第１エレメントの摺動弾性片が第２エレメントのスリーブ内のコイルスプリングと摺動して第１エレメントが伸縮すると共に、第２エレメントを保持するホルダを介してアンテナを筐体に出没可能に取り付け、アンテナにホルダを介して給電する伸縮式アンテナが知られている（特許文献２参照）。
【０００３】
【特許文献１】特開２００３−２０９４１７号公報
【特許文献２】特開平７−２７３５１９号公報
【発明の開示】
【発明が解決しようとする課題】
【０００４】
ところで、近年、移動体通信端末での地上波デジタルテレビ放送の視聴に対する期待が高まっており、そのため、地上波デジタルテレビ放送の視聴に適するアンテナ、即ち、放送塔の電波を受信しやすい方向へ指向方向を自在に調整して定置できるアンテナが切望されている。
【０００５】
本発明は上記課題に鑑み提案するものであって、放送塔の電波を受信しやすい方向など所望の方向へ指向方向を自在に調整して定置することができる伸縮式アンテナを提供することを目的とする。
【課題を解決するための手段】
【０００６】
本発明の伸縮式アンテナは、移動体通信端末に取り付けられ、軸周りに回転可能な伸縮式アンテナであって、アンテナエレメントの下側に設けられる第１の突出片と、ストッパの上側に設けられる第２の突出片とを軸支して、該軸支部より上方のアンテナ部を所要角度で定置可能な回動抵抗を該軸支により付与することを特徴とする。
【０００７】
また、本発明の伸縮式アンテナは、前記第１の突出片若しくは第２の突出片を一対とし、一対の第１の突出片を第２の突出片の両側に配置若しくは一対の第２の突出片を第１の突出片の両側に配置し、第１の突出片と第２の突出片との間に弾性板を介装し、第１の突出片と第２の突出片と弾性板とに軸支部材を挿通して軸支することを特徴とする。
【０００８】
また、本発明の伸縮式アンテナは、前記第１の突出片若しくは第２の突出片を一対とし、第２の突出片の幅よりも第１の突出片間の幅が若干小さい一対の第１の突出片で第２の突出片を挟持し、若しくは第１の突出片の幅よりも第２の突出片間の幅が若干小さい一対の第２の突出片で第１の突出片を挟持し、第１の突出片と第２の突出片とに軸支部材を挿通して軸支することを特徴とする。
【０００９】
また、本発明の伸縮式アンテナは、前記第１の突出片間若しくは第２の突出片間の間隙の端部に外方へ弾性付勢されている凸部を設け、第２の突出片若しくは第１の突出片の弧状の端面に該弧状に沿う方向に所定間隔で該凸部と係合可能な凹部を設けることを特徴とする。
【００１０】
尚、本発明の伸縮式アンテナは、例えば１段伸縮式や、２段伸縮式のアンテナとすることができる。また、上記弾性板は、例えば板バネとすると好適であるが、ゴムなど他の弾性の板状部材としてもよい。また、上記軸支部材は、例えばリベットとすると安価で好適であるが、ボルトにしてナットで締着する構成等とすることも可能である。また、上記凸部、凹部は、例えば線状の凸条と凹溝、或いは点状の凸部と凹部とすること等が可能である。また、上記凸部の外方への弾性付勢は、例えば凸部を有する板材を内側からコイルバネで付勢する構成、或いは前記板材を球体を介在してコイルバネで付勢する構成等とすることが可能である。
【００１１】
また、本願の発明には、各発明や実施形態の構成の他に、これらの部分的な構成を他の構成に変更して特定したもの、或いはこれらの構成に他の構成を付加して特定したもの、或いはこれらの部分的な構成を部分的な作用効果が得られる限度で削除して特定した上位概念化したものも含まれる。
【発明の効果】
【００１２】
本発明の伸縮式アンテナは、例えば３６０°軸周りに回転可能な伸縮式アンテナについて、アンテナエレメント下側の第１の突出片とストッパ上側の第２の突出片とを軸支し、アンテナ部を所要角度で定置可能な回動抵抗を軸支により付与するので、アンテナ部の先端が略半球状等の軌跡となるようにアンテナ部を必要な角度に動かして調整することができると共に、所要の調整した角度で定置することができる。従って、放送塔の電波を受信しやすい方向など所望の方向へ指向方向を自在に調整して定置することができ、例えば移動体通信端末での地上波デジタルテレビ放送の良好な視聴を実現することができる。
【００１３】
また、一対の第１若しくは第２の突出片を第２若しくは第１の突出片の両側に配置し、第１の突出片と第２の突出片との間に弾性板を介装し、第１の突出片と第２の突出片と弾性板とに軸支部材を挿通して軸支する構成、或いは第２若しくは第１の突出片の幅よりも第１若しくは第２の突出片間の幅が若干小さい一対の第１若しくは第２の突出片で第２若しくは第１の突出片を挟持し、第１の突出片と第２の突出片とに軸支部材を挿通して軸支する構成により、耐久性のある構造を安価で簡単に実現することができ、更に、大きさも小さくすることができる。
【００１４】
また、第１若しくは第２の突出片間の間隙の弾性付勢された凸部と第２若しくは第１の突出片の凹部との係合により、第１と第２の突出片の回動抵抗と前記凸部と凹部の係合の双方で所要角度に調整したアンテナ部を定置することができ、アンテナ部の定置を一層安定化することができると共に、凹部と凸部が係合する箇所以外の場合にも、凸部と突出片の当接により摩擦抵抗を生じさせ、アンテナ部の定置の安定性を高めることができる。
【発明を実施するための最良の形態】
【００１５】
本発明の伸縮式アンテナの実施形態について図面に基づき説明する。
【００１６】
本実施形態の伸縮式アンテナ１は、図１〜図３に示すように、全体的に概略丸棒状の２段伸縮式アンテナであって、基部２の上端とアンテナ部３の上端とが軸支部５で軸支されており、アンテナ部３や基部２の上部の外周に填められるホルダ４により、携帯電話等の移動体通信端末の筐体に軸周りに３６０°回転可能に取り付けられると共に、ホルダ４を介して給電される。
【００１７】
基部２は、概略円柱形であって、その下部は中央部よりも大径のストッパ２１になっており、ストッパ２１の上面のホルダ４の下端への当接でアンテナ１の前記筐体に対する伸長が規制される。基部２の上部は、円柱形の中央部の中央位置から上方へ突出形成された略半円形板状の突出片２２（第２の突出片に相当）になっており、突出片２２の略中央には挿通孔２２１が形成されていると共に、突出片２２の弧状の上端面には前記弧状に沿うように所定間隔離間して溝状の凹部２３が形成されている。本例では、前記弧状上端面の頂点と、後述のリベット５１による軸支箇所を中心にして前記頂点から左右にそれぞれ９０°離れた位置とに三箇所形成されている。凹部２３は、前記弧状上端面と連続する曲線状のなだらかな弧状で、後述する板バネ３６の筋状の凸部３６１（凸条）と対応する形状であり、凸部３６１が係合可能になっている。
【００１８】
アンテナ部３は、略円筒形で樹脂製のジョイント３１と、ジョイント３１の下側に設けられた略円筒形で導電性の下部エレメント３２と、下部エレメント３２の下側に設けられた導電性の円柱部３２１から下方に突出形成された突出片３５（第１の突出片に相当）と、ジョイント３１から上方へ伸長され、縮めた状態でジョイント３１と下部エレメント３２内に収容可能な上部エレメント３３と、上部エレメント３３の上端に設けられ、上部エレメント３３と導通するヘリカルアンテナ（図示せず）をモールドした樹脂製のアンテナトップ３４とを有する。ジョイント３１内には、図に省略した円筒形でバネ性の摺動接触片が内設され、前記摺動接触片の接触を介して伸長状態や短縮状態の上部エレメント３３と下部エレメント３２の導通を確保しており、下部エレメント３２には、ホルダ４から基部２の中央部、突出片２２、３５を介して給電される。
【００１９】
突出片３５は、下部エレメント３２の下側に円柱部３２１の平面視両側位置から下方に突出して一対で設けられており、各突出片３５は略半円形板状の形状で、その略中央位置に挿通孔３５１が形成されている。また、一対の突出片３５・３５間の間隙の円柱部３２１の端面には、略方形板状の板バネ３６が前記端面に略沿うように配設されており、板バネ３６には中央に筋状に湾曲した凸部３６１が形成され、凸部３６１（凸条）は突出片３５、２２の厚さ方向に延びている。前記間隙に於ける円柱部３２１の端面の内部には収容部３９が形成されており、収容部３９にコイルバネ３８が収容され、コイルバネ３８の下端には、凸部３６１の凹んだ裏側に当接する球体３７が配設されている。凸部３６１や板バネ３６は、球体３７を介して常時外方に弾性付勢されている。
【００２０】
一対の突出片３５・３５間の間隙には、前記間隙よりも若干幅が小さい基部２の突出片２２が挿入されると共に、前記位置の突出片２２の外面と突出片３５の内面との間には、略ドーナツ形で中央に外方へ隆起した隆起部５２１を有する板バネ５２が、隆起部５２１側を突出片３５の内面に、その逆側を突出片２２の外面にそれぞれ当接するようにして介装される。突出片３５の挿通孔３５１と板バネ５２の中央孔と突出片２２の挿通孔２２１にはリベット５１が挿通され、挿通したリベット５１の先端を潰して、一対の突出片３５・３５と、一対の板バネ５２・５２と、突出片２２とが軸支される。
【００２１】
前記軸支では、板バネ５２の弾性力により突出片２２、３５にリベット５１の軸方向への付勢力が常時付加されて摩擦抵抗が生じ、突出片３５の内面と板バネ５２の外面との間及び突出片２２の外面と板バネ５２の内面との間、換言すれば板バネ５２を介在した突出片３５の内面と板バネ５２の外面との間に常時回動抵抗が生ずる。更に、外方に弾性付勢されている板バネ３６の凸部３６１が突出片２２の弧状上端面と摺動して摺動抵抗が生じ、アンテナ部３は軸支部５を中心に前記回動抵抗と摺動抵抗に抗しつつ略１８０°回転可能となる。
【００２２】
そして、アンテナ部３を回転して、突出片２２の弧状上端面に形成された凹部２３を凸部３６１に対応する位置に配置した際には、前記弧状上端面と曲線状に連続する凹部２３内に凸部３６１が弾性付勢で突出して凹部２３と凸部３６１が係合し、更に、アンテナ部３を回転すると、凸部３６１が引っ込んで凹部２３と凸部３６１の係合が外れ、凸部３６１は再度前記突出片２２の弧状上端面を摺動するようになる。
【００２３】
上記実施形態の伸縮式アンテナ１は、３６０°軸周りに回転可能で且つ軸支部５を中心にアンテナ部３を１８０°回転可能で、アンテナトップ３４が略半球状の軌跡を描くようにアンテナ部３の角度を調整することができると共に、上記回動抵抗と摺動抵抗で所要角度に回転したアンテナ部３を定置することができる。特に、所定角度に於いては、凹部２３と凸部３６１の係合で非常に高い安定性でアンテナ部３を定置することができる。
【００２４】
尚、上記実施形態の伸縮式アンテナ１の軸支部５の変形例として、突出片３５・３５と突出片２２との間に板バネ５２を介装する構成に代え、図４に示すように、一対の突出片３５・３５間の間隙を突出片２２の幅よりも極僅か小さくし、前記間隙に突出片２２を挿入し、挿入した突出片２２を両側の突出片３５・３５が挟持する構成としてもよい。前記変形例のその他の構成は上記実施形態と同様である。
【００２５】
また、上記実施形態では、基部２側の一つの突出片２２をアンテナ部３側の一対の突出片３５・３５間に挿入し、突出片２２の両側に突出片３５・３５を配置する構成としたが、アンテナ部３側に一つの突出片３５、基部２側に一対の突出片２２・２２を設け、一対の突出片２２・２２間に突出片３５を挿入し、突出片３５の両側に突出片２２・２２を配置する構成とし、更には、基部２側に収容部３９、コイルバネ３７、球体３７、凸部３６１に相当する構成を設け、突出片３５に凹部２３に相当する構成を設けてもよい。
【産業上の利用可能性】
【００２６】
本発明は、例えば携帯電話など移動体通信端末のアンテナとして利用することができる。
【図面の簡単な説明】
【００２７】
【図１】実施形態の伸縮式アンテナの正面図。
【図２】図１の伸縮式アンテナの軸支部を示す拡大正面図。
【図３】図１の伸縮式アンテナの軸支部を示す拡大平面図。
【図４】変形例の軸支部を示す拡大平面図。
【符号の説明】
【００２８】
１  伸縮式アンテナ
２  基部
２１  ストッパ
２２  突出片
２２１  挿通孔
２３  凹部
３  アンテナ部
３１  ジョイント
３２  下部エレメント
３２１  円柱部
３３  上部エレメント
３４  アンテナトップ
３５  突出片
３５１  挿通孔
３６  板バネ
３６１  凸部
３７  球体
３８  コイルバネ
３９  収容部
４  ホルダ
５  軸支部
５１  リベット
５２  板バネ
５２１  隆起部
【図１】
2007318207.tif 000003
【図２】
2007318207.tif 000004
【図３】
2007318207.tif 000005
【図４】
2007318207.tif 000006